(57)【要約】【目的】  送信子および受信子の両方を内蔵した場合において、送信子からの赤外線が同ユニット内で受信子に回り込むことのない防犯用検知ユニットを提供する。【構成】    送信子（４ａ）（４ｂ）および受信子（５ａ）（５ｂ）を内蔵した防犯用検知ユニットにおいて、ユニット本体（１）内に、送信子（４ａ）（４ｂ）から受信子（５ａ）（５ｂ）に回り込む赤外線を遮断する遮光シート（６）および遮光リブ（２５）のいずれか一方または両方が設けられている。【選択図】図１
2005235129.tif 000002
【特許請求の範囲】
【請求項１】
送信子および受信子を内蔵した防犯用検知ユニットにおいて、ユニット本体内に、送信子から受信子に回り込む赤外線を遮断する遮光シートおよび遮光リブのいずれか一方または両方が設けられていることを特徴とする防犯用検知ユニット。
【請求項２】
送受信子用基板を間にして片側に送信子およびその反対側に受信子が設けられており、送信側ボディ内に、送信子からの赤外線が受信子に回り込まないように前記遮光シートが設けられていることを特徴とする請求項１記載の防犯用検知ユニット。
【請求項３】
送信側ボディに基板固定用ボスが設けられており、当該基板固定用ボスと送受信子用基板との間に前記遮光シートが挟み込まれていることを特徴とする請求項２記載の防犯用検知ユニット。
【請求項４】
送信子からの赤外線を外部へ投光するレンズが送信子の前方に設けられており、このレンズの周りに、送信子からの赤外線が受信子に回り込まないように前記遮光リブが設けられていることを特徴とする請求項１ないし３のいずれかに記載の防犯用検知ユニット。
【請求項５】
前記遮光リブは前記遮光シートの位置決めとなる高さを有しており、送信側ボディ内にてこの遮光リブの開放端に遮光シートが当接することを特徴とする請求項４記載の防犯用検知ユニット。
【請求項６】
ユニット本体に送信子および受信子とともに報知表示子を内蔵し、報知表示子からの光を外部へ出射させる表示窓を備えた場合において、ユニット本体の表示窓に段差構造が設けられていることを特徴とする請求項１ないし５のいずれかに記載の防犯用検知ユニット。
【請求項７】
ユニット本体内に組み込まれて表示窓から露出する表示カバーをさらに備えており、表示カバーの露出面と表示窓の開口とが段差構造となっていることを特徴とする請求項６記載の防犯用検知ユニット。
【請求項８】
ユニット本体に送信子および受信子とともに報知表示子を内蔵し、報知表示子からの光を外部へ出射させる表示窓を備えた場合において、ユニット本体内に組み込まれて表示窓から露出する表示カバーをさらに備えており、且つユニット本体内に表示カバーの上下に位置して隔壁構造が設けられていることを特徴とする請求項１ないし７のいずれかに記載の防犯用検知ユニット。
【請求項９】
ユニット本体に送信子および受信子ならびに報知表示子を内蔵し、報知表示子からの光を外部へ出射させる表示窓を備えた防犯用検知ユニットにおいて、ユニット本体の表示窓に段差構造が設けられていることを特徴とする防犯用検知ユニット。
【請求項１０】
ユニット本体内に組み込まれて表示窓から露出する表示カバーをさらに備えており、表示カバーの露出面と表示窓の開口とが段差構造となっていることを特徴とする請求項９記載の防犯用検知ユニット。
【請求項１１】
ユニット本体に送信子および受信子ならびに報知表示子を内蔵し、報知表示子からの光を外部へ出射させる表示窓を備えた防犯用検知ユニットにおいて、ユニット本体内に組み込まれて表示窓から露出する表示カバーをさらに備えており、且つユニット本体内に表示カバーの上下に位置して隔壁構造が設けられていることを特徴とする防犯用検知ユニット。
【発明の詳細な説明】
【技術分野】
【０００１】
この出願の発明は、外構フェンス等に取り付けて侵入者を検知する赤外防犯装置に有用な、送信子および受信子を内蔵した送受信一体構成の防犯用検知ユニットに関するものである。
【背景技術】
【０００２】
従来、ビームセンサとしての送信子および受信子を対向配置させ、それらの間で赤外線の送受を行い、赤外線が侵入者により遮られた際にこれを検知する赤外防犯装置が知られている（たとえば特許文献１参照）。
【０００３】
この赤外防犯装置は、たとえば、住宅等の建物に配設された外構フェンスに取り付け、外構フェンスを侵入者が乗り越えるなどして赤外線を遮った際に報知や威嚇を行うフェンス防犯装置として利用できると考えられる。
【０００４】
このとき、送信子および受信子を背中合わせに配置して一体の検知ユニットとし、それを複数、外構フェンス等の防犯スペースの外縁に沿って適宜間隔で対向配設させて、隣接する一方の検知ユニットの送信部と他方の検知ユニットの受信部との間で赤外線の送受を行うようにした態様の赤外防犯装置も考慮できる。
【特許文献１】実開平６−６７９０８号公報
【発明の開示】
【発明が解決しようとする課題】
【０００５】
しかしながら、上記送受信子一体構成の防犯用検知ユニットでは、送信子から照射された赤外線が、ユニット内部で反射し、基板を透過したり基板と内壁との隙間を通過したりして同じユニット内の受信子で受信されてしまう恐れがあった。
【０００６】
そこで、以上のとおりの事情に鑑み、この出願の発明は、送信子および受信子の両方を内蔵した場合において、送信子からの赤外線が同じユニット内で受信子に回り込むことのない防犯用検知ユニットを提供することを課題としている。
【課題を解決するための手段】
【０００７】
この出願の発明は、上記の課題を解決するものとして、第１には、送信子および受信子を内蔵した防犯用検知ユニットにおいて、ユニット本体内に、送信子から受信子に回り込む赤外線を遮断する遮光シートおよび遮光リブのいずれか一方または両方が設けられていることを特徴とする防犯用検知ユニットを提供する。
【０００８】
第２には、送受信子用基板を間にして片側に送信子およびその反対側に受信子が設けられており、送信側ボディ内に、送信子からの赤外線が受信子に回り込まないように前記遮光シートが設けられていることを特徴とする前記防犯用検知ユニットを提供する。
【０００９】
第３には、送信側ボディに基板固定用ボスが設けられており、当該基板固定用ボスと送受信子用基板との間に前記遮光シートが挟み込まれていることを特徴とする前記防犯用検知ユニットを提供する。
【００１０】
第４には、送信子からの赤外線を外部へ投光するレンズが送信子の前方に設けられており、このレンズの周りに、送信子からの赤外線が受信子に回り込まないように前記遮光リブが設けられていることを特徴とする前記防犯用検知ユニットを提供する。
【００１１】
第５には、前記遮光リブは前記遮光シートの位置決めとなる高さを有しており、送信側ボディ内にてこの遮光リブの開放端に遮光シートが当接することを特徴とする前記防犯用検知ユニットを提供する。
【００１２】
第６には、ユニット本体に送信子および受信子とともに報知表示子を内蔵し、報知表示子からの光を外部へ出射させる表示窓を備えた場合において、ユニット本体の表示窓に段差構造が設けられていることを特徴とする前記防犯用検知ユニットを提供する。
【００１３】
第７には、ユニット本体内に組み込まれて表示窓から露出する表示カバーをさらに備えており、表示カバーの露出面と表示窓の開口とが段差構造となっていることを特徴とする前記防犯用検知ユニットを提供する。
【００１４】
第８には、ユニット本体に送信子および受信子とともに報知表示子を内蔵し、報知表示子からの光を外部へ出射させる表示窓を備えた場合において、ユニット本体内に組み込まれて表示窓から露出する表示カバーをさらに備えており、且つユニット本体内に表示カバーの上下に位置して隔壁構造が設けられていることを特徴とする前記防犯用検知ユニットを提供する。
【００１５】
第９には、ユニット本体に送信子および受信子ならびに報知表示子を内蔵し、報知表示子からの光を外部へ出射させる表示窓を備えた防犯用検知ユニットにおいて、ユニット本体の表示窓に段差構造が設けられていることを特徴とする防犯用検知ユニットを提供する。
【００１６】
第１０には、ユニット本体内に組み込まれて表示窓から露出する表示カバーをさらに備えており、表示カバーの露出面と表示窓の開口とが段差構造となっていることを特徴とする前記防犯用検知ユニットを提供する。
【００１７】
第１１には、ユニット本体に送信子および受信子ならびに報知表示子を内蔵し、報知表示子からの光を外部へ出射させる表示窓を備えた防犯用検知ユニットにおいて、ユニット本体内に組み込まれて表示窓から露出する表示カバーをさらに備えており、且つユニット本体内に表示カバーの上下に位置して隔壁構造が設けられていることを特徴とする防犯用検知ユニットを提供する。
【発明の効果】
【００１８】
上記第１の防犯用検知ユニットによれば、上記のとおりの特徴を有する遮光シートや遮光リブの存在により、送信子からの赤外線がユニット本体内にて受信子に回り込む現象を効果的に抑制することができ、その回り込みに起因した誤動作の発生を防止して、精度の高い防犯検知を実現できるようになる。
【００１９】
上記第２の防犯用検知ユニットによれば、上記第１の防犯用検知ユニットと同様な効果が得られ、また、上記のとおりの特徴を有する遮光シートの存在により、送信側ボディ内で赤外線の回り込みを実現でき、受信子が位置する受信側ボディ内への赤外線の侵入を効果的に抑制することができる。
【００２０】
上記第３の防犯用検知ユニットによれば、上記第２の防犯用検知ユニットと同様な効果が得られ、また、基板固定用ボスと送受信子用基板との間に遮光シートを挟み込む構成とすることで、専用の固定構造を必要とせずに遮光シートをユニット本体内に固定させることできる。
【００２１】
上記第４の防犯用検知ユニットによれば、上記第１〜第３の防犯用検知ユニットと同様な効果が得られ、また、上記のとおりの特徴を有する遮光リブの存在により、送信子用のレンズ周辺にて赤外線の回り込みを実現でき、受信子側への赤外線の侵入を効果的に抑制することができる。
【００２２】
上記第５の防犯用検知ユニットによれば、上記第４の防犯用検知ユニットと同様な効果が得られ、また、上記のとおりの特徴を有する遮光リブおよび遮光シートの存在により、遮光シートの組み立ておよび固定をより一層容易ならしめることができる。
【００２３】
上記第６の防犯用検知ユニットによれば、上記第１〜第５の防犯用検知ユニットと同様な効果が得られ、また、表示窓に段差構造を設けたことで、報知表示子から発せられる報知光や威嚇光等の光の視認性を、周囲照度が高い屋外昼間においても十分に確保でき、報知や威嚇の効果を最大限に発揮させられるようになる。
【００２４】
上記第７の防犯用検知ユニットによれば、上記第６の防犯用検知ユニットと同様な効果が得られ、また、上記のとおりの特徴を有する段差構造の存在によって、より明確な影を与えて報知表示子からの光の視認性をさらに向上できるようになる。
【００２５】
上記第８の防犯用検知ユニットによれば、上記第１〜第７の防犯用検知ユニットと同様な効果が得られ、また、上記のとおりの特徴を有する隔壁構造の存在により、表示窓の外から入り込む外光を遮断し、且つ報知表示子から発せられる報知光や威嚇光等の光を表示カバーを通して表示窓へより効果的に集光させることができ、よって当該光の視認性を周囲照度が高い屋外昼間においても十分に確保できるようになる。
【００２６】
上記第９の防犯用検知ユニットによれば、表示窓に段差構造を設けたことで、報知表示子から発せられる報知光や威嚇光等の光の視認性を、周囲照度が高い屋外昼間においても十分に確保でき、報知や威嚇の効果を最大限に発揮させられるようになる。
【００２７】
上記第１０の防犯用検知ユニットによれば、上記第９の防犯用検知ユニットと同様な効果が得られ、また、上記のとおりの特徴を有する段差構造の存在によって、より明確な影を与えて報知表示子からの光の視認性をさらに向上できるようになる。
【００２８】
上記第１１の防犯用検知ユニットによれば、上記のとおりの特徴を有する隔壁構造の存在により、表示窓の外から入り込む外光を遮断し、且つ報知表示子から発せられる報知光や威嚇光等の光を表示カバーを通して表示窓へより効果的に集光させることができ、よって当該光の視認性を周囲照度が高い屋外昼間においても十分に確保できるようになる。
【発明を実施するための最良の形態】
【００２９】
［第１の実施形態］
図１〜図４は、この出願の発明の一実施形態について説明するための図である。
【００３０】
本実施形態は、これら図１〜図４に示したように、防犯用検知ユニットの片側にて上下２段にビームセンサとしての送信子（４ａ）（４ｂ）（図１参照）を設け、その反対側にて上下２段にビームセンサとしての受信子（５ａ）（５ｂ）（図２参照）を設けた、いわゆるダブルビーム方式の送受信背中合わせ一体構成の場合のものであって、ケース状の送信側ボディ（２）および受信側ボディ（３）によりユニット本体（１）が構成され、当該ユニット本体（１）内に、送信子（４ａ）（４ｂ）から受信子（５ａ）（５ｂ）に回り込む赤外線を遮断する遮光シート（６）が設けられている。
【００３１】
この場合さらに説明すると、ユニット本体（１）内には、送信側ボディ（２）および受信側ボディ（３）との間に位置して、上下に延びた長板状の一枚の送受信子用基板（７）も内蔵されており、この送受信子用基板（７）の片面に送信子（４ａ）（４ｂ）が、反対面に受信子（５ａ）（５ｂ）が装着されている。そして、この送信子（４ａ）（４ｂ）から赤外線が発光される側の送信側ボディ（２）内に、遮光シート（６）が収められている。
【００３２】
この遮光シート（６）は、別体の上側遮光シート（６ａ）および下側遮光シート（６ｂ）で構成されており、それぞれ、上段の送信子（４ａ）および下段の送信子（４ｂ）からの赤外線の回り込み遮断を担うものとして、適宜位置に嵌められている。
【００３３】
上側遮光シート（６ａ）および下側遮光シート（６ｂ）は、たとえば、樹脂、金属等の剛性を有する部材にて形成され、樹脂の場合は赤外線の透過を防止するために黒色等の暗色系の色を有している。また、外形は、送信側ボディ（２）の内壁に沿った形状とし、ボディ内壁との隙間の発生を防いで、赤外線の送受信子用基板（７）側への漏れを遮断する。またさらに、送受信子用基板（７）を間に挟んで受信側ボディ（３）と組み立てられる際に、送受信子用基板（７）から突出した送信子（４ａ）（４ｂ）を挿入できる送信子挿入穴（６２ａ）（６２ｂ）が設けられており、他にも、送信側ボディ（２）の内側に突出して設けられている基板固定用ボス（２１）の先端部（２１１）が通るボス用穴（６１ａ）（６１ｂ）が設けられてもいる。送信側ボディ（２）内での配置位置は、送信子（４ａ）（４ｂ）が送受信子用基板（７）側から送信子挿入穴（６２ａ）（６２ｂ）を通って反対側に飛び出る位置であり、且つ送受信子用基板（７）の実装部品と干渉しない位置とする。
【００３４】
以上のとおりの遮光シート（６）によって、送信子（４ａ）（４ｂ）から発せられる赤外線が遮光シート（６）により遮られて送受信子用基板（７）側に漏れることがなくなり、送受信子用基板（７）と受信側ボディ（３）との間の隙間（図１参照）を通って反対側に回り込み、受信子（５ａ）（５ｂ）で受信されるのを効果的に抑制できることとなる。
【００３５】
なお、上側遮光シート（６ａ）および下側遮光シート（６ｂ）は、それぞれ、図４にも例示したように、送信側ボディ（２）内側の基板固定用ボス（２１）の先端部（２１１）がボス用穴（６１ａ）（６１ｂ）を通るとともに、先端部（２１１）後方に設けられた段差部（２１２）がシート面に当接することで、容易に位置決めされる。したがって、遮光シート（６）専用の位置決め構造を必要とせず、位置決めのための複雑な構造を送信側ボディ（２）や受信側ボディ（３）に別途形成する必要がない。
【００３６】
また、送信側ボディ（２）および受信側ボディ（３）を送受信子用基板（７）を間にして組み合わせる際に、上側遮光シート（６ａ）および下側遮光シート（６ｂ）はそれぞれ、送信側ボディ（２）内側の基板固定用ボス（２１）と送受信子用基板（７）との間に挟み込まれることにもなり、専用の固定構造を用いることなくユニット本体（１）内に固定される。
【００３７】
［第２の実施形態］
この出願の発明では、さらに、図２、図４および図５に例示したように、上記のとおりの遮光シート（６）だけでなく、遮光リブ（２５）をもユニット本体（１）内に設けてもよい。
【００３８】
この場合さらに説明すると、送信側ボディ(２）内には、送信子（４ａ）（４ｂ）からの赤外線を外部へ投光するレンズ（２４）（図４参照）が、送信子（４ａ）（４ｂ）の前方に位置して設けられており、このレンズ（２４）の周りに、送信子（４ａ）（４ｂ）からの赤外線が受信子（５ａ）（５ｂ）に回り込まないように遮光リブ（２５）が設けられている。より具体的には、レンズ（２４）を囲んで、レンズ（２４）周りの空間とそれ以外の送信側ボディ（２）内の空間とを隔てるように、送信側ボディ（２）の内側に突出して設けられている。
【００３９】
送信子（４ａ）（４ｂ）からの赤外線はレンズ（２４）を通る際に内側に反射したりする場合もあるため、この遮光リブ（２５）によって赤外線の拡散を防止し、受信子（５ａ）（５ｂ）への回り込みをより確実に軽減させることができるようになる。
【００４０】
もちろん、遮光リブ（２５）のみでも、また遮光シート（６）のみでも、赤外線の回り込みを抑制できるが、両者を具備することで、相乗効果によりさらに確実な抑制を実現できることは言うまでもない。
【００４１】
なお、たとえば図４に例示したように、遮光リブ（２５）は、遮光シート（６）とともに具備される場合、遮光シート（６）の位置決めとなる高さを有するものとしてもよい。これにより、遮光リブ（２５）の高さが遮光シート（６）が配置される位置となることで、遮光シート（６）の位置決めを兼ねることとなり、遮光リブ（２５）の開放端に遮光シート（６）が当接して、言い換えると遮光リブ（２５）の天面に遮光シート（６）が置かれて、組み立て時の位置決めを容易ならしめ、遮光シート（６）の組立性の向上を図ることができる。
【００４２】
また、たとえば図５に例示したように、遮光リブ（２５）に、レンズ（２４）を固定するための切欠き（２５１）を設けてもよく、この場合では遮光シート（６）をも設けることが好ましい。切欠き（２５１）は、遮光リブ（２５）をレンズ（２４）の取付に影響のない形状にするためのものである。
【００４３】
［第３の実施形態］
ところで、この出願の発明の防犯用検知ユニットでは、たとえば図６〜図８に示したように、ユニット本体（１）に、送信子（４ａ）（４ｂ）および受信子（５ａ）（５ｂ）とともに報知表示子（８）をも内蔵し、且つ報知表示子（８）からの光を外部へ出射させる表示窓（２２）（３２）をさらに備えた実施形態も考慮でき、この場合において、ユニット本体（１）の表示窓（２２）（３２）に段差構造を設けることが好ましい。
【００４４】
この場合さらに説明すると、図６〜図８の実施形態では、まず、報知表示子（８）は、報知灯や威嚇灯等としてのものであって、送受信子用基板（７）の片面にて上下２段の送信子（４ａ）（４ｂ）の間に位置し、反対面にて上下２段の受信子（５ａ）（５ｂ）の間に位置して装着されている。
【００４５】
また、これら送受信子用基板（７）表裏面の報知表示子（８）から発せられる報知光や威嚇光等の光を外部へ出射するための表示窓（２２）（３２）が、送信側ボディ（２）および受信側ボディ（３）の適宜位置に、より具体的には発光を外部へ出射できる位置に設けられている。
【００４６】
そして、報知表示子（８）と表示窓（２２）（３２）との間に位置するように、表示カバー（９）が、ユニット本体（１）内にさらに備えられている。表示カバー（９）は、図９にも示したように、中央が開口した枠状（輪状とも言える）のものとなっており、その中央開口に面した対向内壁にて、送受信子用基板（７）との一体化時にその側端部を保持する基板固定用リブ（９１）（９２）が設けられ、また外側面にて、ユニット本体（１）内への組み込み時に表示窓（２２）（３２）内に嵌まる位置決めリブ（９３）（９４）が外方に突出して設けられている。また、報知表示子（８）からの光を通過させる透明や乳白色の材料を用いるため、送信側ボディ（２）および受信側ボディ（３）とは別部品で構成される。
【００４７】
この表示カバー（９）は、送受信子用基板（７）と次のように一体化される（図６、図７参照）。
【００４８】
まず、送受信子用基板（７）が表示カバー（９）の中央開口部分に通される。このとき、送受信子用基板（７）の対向側端部は、表示カバー（９）の対向内壁にある基板固定用リブ（９１）（９２）内に挿入されて保持されることとなる。また、表示カバー（９）は報知表示子（８）の光を外部へ出射させる必要があるため、それが可能となるような位置、たとえば報知表示子（８）と略平行な位置とされる。
【００４９】
そして、この一体とされた表示カバー（９）および送受信子用基板（７）は、次のように送信側ボディ（２）および受信側ボディ（３）間に位置してユニット本体（１）内に取り付けられる（図６、図７参照）。
【００５０】
まず、表示カバー（９）および送受信子用基板（７）は、その両側から送信側ボディ（２）および受信側ボディ（３）により挟持されるようにユニット本体（１）内に収められる。このとき、表示カバー（９）の位置決めリブ（９３）（９４）がそれぞれ対応する送信側ボディ（２）および受信側ボディ（３）の表示窓（２２）（３２）に嵌め込まれる。次に、送受信子用基板（７）には基板固定用穴（７１）、送信側ボディ（２）には基板固定用ボス（２１）、受信側ボディ（３）には基板押付用ボス（３１）が設けられており（図２参照）、固定ビス（図示なし）を受信側ボディ（３）の外側から基板押付用ボス（３１）内のビス挿通口を通して、送受信子用基板（７）の基板固定用穴（７１）をさらに通し、送信側ボディ（２）の基板固定用ボス（２１）内のビス下穴（２１４）にねじ込むことで、送受信子用基板（７）を送信側ボディ（２）および受信側ボディ（３）とネジ固定させる（図４参照）。このとき、基板押付用ボス（３１）が基板固定用ボス（２１）に対して、より具体的には基板固定用ボス（２１）の先端部（２１１）に設けられた段差部（２１３）に対して送受信子用基板（７）を押し付けることにもなり、ボディ内壁と接触することなく、しっかりとした取付固定が実現される。もちろんこのビス固定は、送信側ボディ（２）および受信側ボディ（３）の接合固定も兼ねている。
【００５１】
なお、前述した遮光シート（６）をも設ける場合では（図４、６参照）、たとえば、まず遮光シート（６）を送信側ボディ（２）内の遮光リブ（２５）および基板固定用ボス（２１）の段差部（２１２）に置き、その後表示カバー（９）と一体化された送受信子用基板（７）を送信側ボディ（２）に装着し、受信側ボディ（３）を嵌め込んで、送受信子用基板（７）を固定する。これにより遮光シート（６）も挟み込み固定される。
【００５２】
以上のとおりに組み立てられたユニット本体（１）では、図８に示したように、送信側ボディ（２）および受信側ボディ（３）それぞれの表示窓（２２）（３２）において、表示カバー（９）の位置決めリブ（９３）（９４）が露出するが、このとき、位置決めリブ（９３）（９４）の露出面が表示窓（２２）（３２）の開口部分よりも若干内側につまりユニット本体（１）内に引っ込んだ状態となり、これによって段差構造が形成されている。
【００５３】
この段差構造の存在により、ユニット本体（１）内の報知表示子（８）の光が位置決めリブ（９３）（９４）の露出面を通して表示窓（２２）（３２）の開口から外へ出射される際に、影が生じて、光の視認性が向上されることとなる。このため、周囲照度が高い屋外昼間においても報知光や威嚇光の視認性を確保でき、昼間においても光による防犯効果を高められるのである。
【００５４】
［第４の実施形態］
またさらに、この出願の発明では、たとえば図１、図２および図７に例示したように、ユニット本体（１）内に、上述したとおりの表示カバー（９）の上下に位置して、隔壁構造（２３）（３３）を設けておいてもよい。
【００５５】
この場合さらに説明すると、送信側ボディ（２）および受信側ボディ（３）それぞれの内側に、内壁面と一体として、表示窓（２２）（３２）の上下に位置して一対の隔壁板（２３１）（３３１）が内方に突出して設けられている。表示窓（２２）（３２）には組み立て時に表示カバー（９）の位置決めリブ（９３）（９４）が嵌め込まれるため、隔壁板（２３１）（３３１）は位置決めリブ（９３）（９４）つまり表示カバー（９）の上下に位置することとなる。
【００５６】
この隔壁板（２３１）（３３１）による隔壁構造（２３）（３３）によれば、表示窓（２２）（３２）から侵入する外光を遮断できるとともに、報知表示子（８）からの光が内部で拡散するのを防止して表示窓（２２）（３２）に集光させ、外部への光量を増加でき、よって当該光の視認性をさらに一層向上させることができるのである。
【００５７】
なお、隔壁板（２３１）（３３１）における表示カバー（９）の位置決めリブ（９３）（９４）を向く面は、鏡面等の反射面（２３２）（３３２）として、集光効果をさらに高めるようにしてもよい。
【００５８】
［第５の実施形態］
以上のとおりの防犯用検知ユニットは、複数用いることで、より具体的には複数を適宜間隔で対向配設させ、隣接する一方の防犯用検知ユニットの送信子（４ａ）（４ｂ）と他方の防犯用検知ユニットの受信子（５ａ）（５ｂ）との間で赤外線の送受を行い、その際に赤外線が侵入者によって遮られたことを検知するように構築することで、優れた赤外防犯装置を実現できる。このとき、外構フェンス等の支柱に防犯用検知ユニットを取り付けて適宜間隔で対向配設させることで、フェンス防犯装置とすることももちろん考慮できる。
【００５９】
この出願の発明は以上の実施形態に限定されるものではなく、細部については様々な態様が可能であることは言うまでもない。たとえば、上記各実施形態では送信子（４ａ）（４ｂ）および受信子（５ａ）（５ｂ）それぞれを上下２段設けたダブルビーム方式のものとしているが、上下３段以上のマルチビーム方式の場合にも適用できる。送信子（４ａ）（４ｂ）、受信子（５ａ）（５ｂ）、報知表示子（８）については、赤外線の発光、赤外線の受光、報知・威嚇発光が可能となる素子であればよく、たとえば赤外ＬＥＤやフォトトランジスタなどを考慮できる。
【図面の簡単な説明】
【００６０】
【図１】この出願の発明の一実施形態を示した分解斜視図である。
【図２】この出願の発明の一実施形態を示した別の分解斜視図である。
【図３】遮光シートを示した斜視図であり、（ａ）は上側遮光シート、（ｂ）は下側遮光シートである。
【図４】遮光リブを示した斜視図である。
【図５】組み立て後の状態を示した断面図である。
【図６】この出願の発明の別の一実施形態を示した分解斜視図である。
【図７】この出願の発明の別の一実施形態を示した別の分解斜視図である。
【図８】段差構造について説明するための図である。
【図９】表示カバーを示した斜視図である。
【符号の説明】
【００６１】
１  ユニット本体
２  送信側ボディ
２１  基板固定用ボス
２１１  先端部
２１２  段差部
２１３  段差部
２１４  ビス下穴
２２  表示窓
２３  隔壁構造
２３１  隔壁板
２３２  反射面
２４  レンズ
２５  遮光リブ
２５１  切欠き
３  受信側ボディ
３１  基板押付用ボス
３２  表示窓
３３  隔壁構造
３３１  隔壁板
３３２  反射面
４ａ，４ｂ  送信子
５ａ，５ｂ  受信子
６  遮光シート
６ａ  上側遮光シート
６１ａ  ボス用穴
６２ａ  送信子挿入穴
６ｂ  下側遮光シート
６１ｂ  ボス用穴
６２ｂ  送信子挿入穴
７  送受信子用基板
７１  基板固定用穴
８  報知表示子
９  表示カバー
９１，９２  基板固定用リブ
９３，９４  位置決めリブ
【図１】
2005235129.tif 000003
【図２】
2005235129.tif 000004
【図３】
2005235129.tif 000005
【図４】
2005235129.tif 000006
【図５】
2005235129.tif 000007
【図６】
2005235129.tif 000008
【図７】
2005235129.tif 000009
【図８】
2005235129.tif 000010
【図９】
2005235129.tif 000011